(57)【要約】  歯牙根管の深部まで挿入でき且つ充分量の流体を単位時間当たりに流通でき、容易に作製できる歯牙根管挿入ノズル、及びこの歯牙根管挿入ノズルを備える歯牙根管処理用装置を提供する。  治療用装置１は、注入装置１０と、排出装置２０と、を備える。注入装置１０は、処置液収容槽１４と、この処置液収容槽１４に供給管１３を介して連通する供給ノズル１１と、を有する。排出装置２０は、一端側から歯牙根管６１０に挿入される吸引ノズル２１と、この吸引ノズル２１の他端に接続された排出管２２と、この排出管２２の途中に設けられた排出ポンプ２３と、この排出ポンプ２３を介して吸引ノズル２１に連通する廃液収容槽２４と、を有する。吸引ノズル２１は、所定寸法の略円筒状の本体部と、この本体部の先端から延出し本体部よりも外径が小さく所定寸法の略円筒状の延出部と、を備える。
2007119844.tif 000002
【特許請求の範囲】
【請求項１】
一端側から歯牙根管に挿入され、流体を歯牙根管に注入又は歯牙根管から吸引するために用いられる歯牙根管挿入ノズルであって、
筒状の本体部と、この本体部の先端から延出し前記本体部よりも外径及び内径の各々が小さい筒状の延出部と、を備える歯牙根管挿入ノズル。
【請求項２】
請求項１記載の歯牙根管挿入ノズルと、この歯牙根管挿入ノズルの他端に接続された流体流路を介して前記歯牙根管挿入ノズルとの間で流体を交換する流体交換手段と、を備える歯牙根管処理用装置。
【請求項３】
一端側から歯牙根管に挿入され、前記歯牙根管に注入された処置液を吸引し他端側に接続される排出路へと排出するために用いられる吸引ノズルであって、
筒状の本体部と、この本体部の先端から延出し前記本体部よりも外径が小さい筒状の延出部と、を備え、
前記延出部は、内径が０．１５ｍｍ以上、外径が０．５０ｍｍ以下、長さが７ｍｍ以下であり、
前記本体部は、内径が前記延出部の内径よりも大きく、外径が１．１ｍｍ以下であることを特徴とする吸引ノズル。
【請求項４】
請求項３記載の吸引ノズルにおいて、
前記本体部及び／又は延出部は、外周部に設けられ前記延出部の先端に向かって延びる溝を備えることを特徴とする吸引ノズル。
【請求項５】
請求項４記載の吸引ノズルにおいて、
前記溝は、螺旋状に形成されていることを特徴とする吸引ノズル。
【請求項６】
請求項３から５いずれか記載の吸引ノズルにおいて、
前記本体部及び／又は延出部は、テーパ状の外周部を有することを特徴とする吸引ノズル。
【請求項７】
処置液を歯牙根管に注入する注入手段と、前記歯牙根管から処置液を排出する排出手段と、を備え、
前記注入手段は、処置液を収容する処置液収容手段と、この処置液収容手段に供給路を介して連通し且つ処置液を前記歯牙根管に供給する供給ノズルと、を有し、
前記排出手段は、一端側から歯牙根管に挿入される吸引ノズルと、この吸引ノズルの他端に接続された排出路と、この排出路の途中に設けられ歯牙根管に注入された処置液を吸引する吸引手段と、前記排出路を介して前記吸引ノズルに連通し且つ吸引された処置液を収容する廃液収容手段と、を有する歯牙の根管内疾患の治療用装置であって、
前記吸引ノズルは、請求項３から６いずれか記載の吸引ノズルであることを特徴とする治療用装置。
【発明の詳細な説明】
【技術分野】
【０００１】
本発明は、歯牙根管挿入ノズル、及びこの歯牙根管挿入ノズルを備える歯牙根管処理用装置に関する。
【背景技術】
【０００２】
歯牙の根管内疾患の治療は、次のような治療方法によって行われる。
つまり、この治療方法は、対象の歯牙根管を拡大することで、細菌等の汚染物質を物理的に除去する手順と、；根管内を処置液で洗浄した後、この処置液、切削粉、血液等を根管内から除去する手順と、；この根管内に充填材を充填する手順と、；を備える。【０００３】
この治療方法によれば、まず、汚染物質を物理的に除去し、処置液によって根管内を洗浄することによって、根管内疾患の原因となる細菌を除去し、死滅させる。更に、処置液等を除去した後、根管内を充填することによって、根管内を外界から遮断し、無菌状態を保持する。よって、歯牙の根管内疾患を治療できる。【０００４】
このような根管内疾患の治療に使用される従来の治療用装置は、例えば以下のような構成を備える（特許文献１参照）。
図１６は、従来例に係る治療用装置５００の概略構成図である。
治療用装置５００は、処置液を歯牙根管６１０に注入する注入装置５１０と、歯牙根管６１０から処置液を排出する排出装置５２０と、を備える。【０００５】
注入装置５１０は、処置液を収容する処置液収容槽５１４と、この処置液収容槽５１４に収容された処置液を供給管５１２に押し出す供給ポンプ５１３と、処置液収容槽５１４に供給管５１２を介して連通し且つ処置液を歯牙根管６１０に供給する供給ノズル５１１と、を有する。【０００６】
また、排出装置５２０は、一端側から歯牙根管６１０に挿入される吸引ノズル５２１と、この吸引ノズル５２１の他端に接続された排出管５２２と、この排出管５２２を介して連通し且つ歯牙根管６１０に注入された処置液を吸引する排出ポンプ５２３と、排出管５２２を介して吸引ノズル５２１に連通し且つ吸引された処置液を収容する廃液収容槽５２４と、を有する。【０００７】
治療用装置５００によれば、以下のような手順で歯牙の根管内疾患の治療の一部（処置液による根管内の洗浄）が行われる。【０００８】
まず、吸引ノズル５２１を一端側から歯牙根管６１０に挿入する。吸引ノズル５２１は、外径が歯牙根管６１０の径に略一致する位置まで侵入する。この状態で供給ポンプ５１３及び排出ポンプ５２３を稼動すると、処置液収容槽５１４から供給管５１２を介して供給ノズル５１１へと供給された処置液は、供給ノズル５１１の先端から歯牙根管６１０に注入され、注入された処置液は吸引ノズル５２１の先端から吸引ノズル５２１内へと吸引される。吸引ノズル５２１内に吸引された処置液は、排出管５２２を介して、廃液収容槽５２４へと搬送され、廃液収容槽５２４に収容される。処置液の流れる方向は、図１６の矢印に示される通りである。【０００９】
続いて、適宜の時点において、供給ポンプ５１３及び排出ポンプ５２３を停止すると、処置液の注入及び吸引が終了する。そして、吸引ノズル５２１を歯牙根管６１０から抜き出すことで、処置液による根管内の洗浄が完了する。【００１０】
また、根管内疾患の治療に使用される従来の治療用装置として、以下のような構成を備える治療用装置が挙げられる（特許文献２参照）。
図１７は、従来例に係る治療用装置８００の全体斜視図である。
治療用装置８００は、図示しない充填剤の内部供給源を有する筒状のシリンダ８１０と、このシリンダ８１０の一端に配置されたハンドル８２０と、シリンダ８１０の他端に突設された筒状の充填ノズル９００と、を備える。【００１１】
シリンダ８１０の内部には、図示しないピストンが摺動可能に係合され、このピストンがシリンダ８１０の他端側へ摺動することにより、充填剤が押し出される。ピストンには、シリンダ８１０の内部を摺動可能なロッド８４０が延設され、このロッド８４０には、側面に設けられたねじ部を介して、係止ナット８５０及び操作パッド８６０が順次螺合されている。
また、充填ノズル９００の内部は、シリンダ８１０の内部と連通する。【００１２】
治療用装置８００によれば、以下のような手順で歯牙の根管内疾患の治療の一部（充填材による歯牙根管内の充填）が行われる。【００１３】
まず、ハンドル８２０を掴んで操作パッド８６０を後方へ引くことにより、ピストンをシリンダ８１０から引き抜く。続いて、充填材をシリンダ８１０の内部に補充した後、ピストンをシリンダ８１０に装着する。【００１４】
次に、充填ノズル９００の先端を歯牙根管に挿入した後、操作パッド８６０を前方へと押し進めると、充填材が充填ノズル９００に供給され、充填ノズル９００の先端から歯牙根管に注入される。【００１５】
その後、適宜の時点において、充填ノズル９００を歯牙根管から抜き出すことで、歯牙根管内の充填が完了する。
【特許文献１】特開２００４−３１３６５９号公報
【特許文献２】特公平１−４０６２１号公報
【発明の開示】
【発明が解決しようとする課題】
【００１６】
しかしながら、歯牙根管６１０が深部（図１６中、下方向）に向かうにつれて漸次細くなる形状であることから、前述した治療用装置５００には、次のような問題があった。【００１７】
吸引ノズル５２１の外径を大きくすると、先端が歯牙根管６１０の浅部で係止される。歯牙根管６１０に注入された処置液は、浅部に係止された吸引ノズル５２１の先端から吸引されるため、歯牙根管６１０の深部には行き届かない。このため、歯牙根管６１０の深部に細菌等が残存し、再繁殖することによって、歯牙の根管内疾患が再発する場合があった。【００１８】
一方、吸引ノズル５２１の外径を小さくすると、吸引ノズル５２１の内径も必然的に小さくなるため、吸引される処置液の流路が狭くなる。これにより、単位時間当たりの処置液の吸引量が低下するため、治療の迅速性が損なわれるとともに、吸引しきれない処置液が歯牙根管６１０の開口や根尖から口腔内に溢出する場合がある。
また、吸引ノズル５２１の内径が小さいと、吸引された処置液に混在する汚物が吸引ノズル５２１内に詰まりやすくなる。【００１９】
同様に、前述した治療用装置８００には、次のような問題があった。【００２０】
充填ノズル９００の外径を大きくすると、先端が歯牙根管の浅部で係止される。このため、歯牙根管に注入された充填材は、歯牙根管の深部には行き届かず、歯牙根管の深部が充分には充填されない場合があった。【００２１】
一方、充填ノズル９００の外径を小さくすると、充填ノズル９００の内径も必然的に小さくなるため、供給される充填材の流路が狭くなる。これにより、単位時間当たりの充填材の供給量が低下するため、治療の迅速性が損なわれる。これにより、充填材が充填ノズル９００の内部で冷却されて固化し、充填ノズル内に詰まりやすくなる。【００２２】
以上のような問題点を解決するために、吸引ノズル５２１や充填ノズル９００を外径及び内径が漸次縮小する形状（例えばテーパ状）とすることが考えられる。しかし、吸引ノズル５２１及び充填ノズル９００の寸法が大変小さいため、内径を漸次縮小させる加工は技術的に困難である。【００２３】
本発明は、以上の相反する課題に鑑みてなされたものであり、歯牙根管の深部まで挿入でき且つ充分量の流体を単位時間当たりに流通でき、容易に作製できる歯牙根管挿入ノズル、及びこの歯牙根管挿入ノズルを備える歯牙根管処理用装置を提供することを目的とする。
【課題を解決するための手段】
【００２４】
本発明は、具体的には、以下のようなものを提供する。【００２５】
（１）  一端側から歯牙根管に挿入され、流体を歯牙根管に注入又は歯牙根管から吸引するために用いられる歯牙根管挿入ノズルであって、
筒状の本体部と、この本体部の先端から延出し前記本体部よりも外径及び内径の各々が小さい筒状の延出部と、を備える歯牙根管挿入ノズル。【００２６】
筒状体は、外径及び内径が漸次縮小する形状（例えばテーパ状）と異なり、寸法が小さくても容易に作製できる。
（１）の発明によれば、作製容易な筒状の本体部の先端に、同様に作製容易な筒状の延出部を延設すれば歯牙根管挿入ノズルを作製できるので、作製を容易に行うことができる。【００２７】
また、本体部及びこの本体部よりも外径が小さい延出部を含んで歯牙根管挿入ノズルを構成したので、本体部は歯牙根管の浅部に係止されるために深部に挿入できないが、延出部は歯牙根管の深部へと侵入する。このため、流体を、歯牙根管の深部に注入でき、又は、歯牙根管の深部から吸引できる。【００２８】
更に、本体部の内径を延出部の内径よりも大きくしたので、延出部を設けたことによる流体の単位時間当たり注入量又は吸引量の低下を抑えられるから、充分量の流体を単位時間当たりに注入又は吸引できる。【００２９】
従って、歯牙根管の深部まで挿入でき且つ充分量の流体を単位時間当たりに流通でき、容易に作製できる。【００３０】
なお、「歯牙根管挿入ノズル」としては、吸引ノズル、流体としての充填剤を歯牙根管に充填するために用いられる充填ノズルが挙げられる。【００３１】
（２）  （１）記載の歯牙根管挿入ノズルと、この歯牙根管挿入ノズルの他端に接続された流体流路を介して前記歯牙根管挿入ノズルとの間で流体を交換する流体交換手段と、を備える歯牙根管処理用装置。【００３２】
（２）の発明によれば、（１）の発明と同様の効果が得られる。【００３３】
（３）  一端側から歯牙根管に挿入され、前記歯牙根管に注入された処置液を吸引し他端側に接続される排出路へと排出するために用いられる吸引ノズルであって、
筒状の本体部と、この本体部の先端から延出し前記本体部よりも外径が小さい筒状の延出部と、を備え、
前記延出部は、内径が０．１５ｍｍ以上、外径が０．５０ｍｍ以下、長さが７ｍｍ以下であり、
前記本体部は、内径が前記延出部の内径よりも大きく、外径が１．１ｍｍ以下であることを特徴とする吸引ノズル。【００３４】
筒状体は、外径及び内径が漸次縮小する形状（例えばテーパ状）と異なり、寸法が小さくても容易に作製できる。
（３）の発明によれば、作製容易な筒状の本体部の先端に、同様に作製容易な筒状の延出部を延設すれば吸引ノズルを作製できるので、作製を容易に行うことができる。【００３５】
また、本体部及びこの本体部よりも外径が小さい延出部を含んで吸引ノズルを構成したので、この吸引ノズルを用いて、歯牙根管に注入された処置液を吸引し排出する手順は、以下のようになる。
まず、吸引ノズルを一端側から歯牙根管に挿入する。すると、本体部は歯牙根管の浅部に係止されるために深部に挿入できないが、延出部は歯牙根管の深部へと侵入する。この状態で処置液を吸引すると、処置液は、歯牙根管の深部にまで行き届いた後、延出部内へと吸引される。延出部内に吸引された処置液は、本体部内を経て、吸引ノズルの他端側に接続された排出路へと排出される。【００３６】
歯牙の根管内疾患の再発を防止するには、処置液を歯牙根管の根尖孔から開口側へ２ｍｍ以下の位置まで行き届かせることが重要である。歯牙根管の根尖孔から開口側へ２ｍｍの位置における、歯牙根管の径は、通常少なくとも約０．５ｍｍ以上であることが知られている。
（３）の発明によれば、延出部の外径を０．５０ｍｍ以下としたので、通常、延出部は歯牙根管の根尖孔から開口側へ２ｍｍ以下の位置まで挿入できる。このため、歯牙根管に注入された処置液は、根尖孔から開口側へ２ｍｍ以下の位置まで行き届いた後、延出部内へと吸引されるから、歯牙の根管内疾患の再発を抑制できる。【００３７】
しかし、外径を小さくすると、内径も小さくなる結果、処置液の単位時間当たり吸引量が不充分となる場合がある。
（３）の発明によれば、延出部の内径を０．１５ｍｍ以上とし且つ長さを７ｍｍ以下とし、本体部の内径を延出部の内径よりも大きくしたので、延出部を設けたことによる処置液の単位時間当たり吸引量の低下を抑えられるから、充分量の処置液を単位時間当たりに吸引できる。【００３８】
しかも、本体部の外径を１．１ｍｍ以下としたので、通常、本体部は歯牙根管の根尖孔から開口側へ９ｍｍ以下の位置まで挿入できる。このため、延出部の長さが７ｍｍ以下であっても、本体部の外径を調節することによって、歯牙根管の根尖孔から開口側へ２ｍｍ以下の位置に延出部を挿入できる。【００３９】
従って、歯牙の根管内疾患の再発を抑制でき、充分量の処置液を単位時間当たりに吸引でき、且つ容易に作製できる。【００４０】
なお、延出部の内径、外径、長さ、及び、本体部の内径、外径は、対象となる歯牙根管の形状や寸法等に応じて、本発明の範囲内で適宜設定されてよい。
例えば、延出部の長さは、処置液の単位時間当たり吸引量を向上できる点で６ｍｍ以下であることが好ましく、延出部の孔に汚物が詰まることを抑制できる点で５ｍｍ以下（例えば、３ｍｍ以下）であることがより好ましい。また、延出部の長さが５ｍｍ以下である場合、本体部の外径は１．０ｍｍ以下であることが好ましい。これにより、歯牙根管の根尖孔から開口側へ７ｍｍ以下の位置まで挿入され、延出部を歯牙根管の根尖孔から開口側へ２ｍｍ以下の位置に挿入できる。【００４１】
（４）  （３）記載の吸引ノズルにおいて、
前記本体部及び／又は延出部は、外周部に設けられ前記延出部の先端に向かって延びる溝を備えることを特徴とする吸引ノズル。【００４２】
吸引ノズルを歯牙根管に挿入したとき、本体部及び／又は延出部の外周部が歯牙根管に接すると、歯牙根管内の処置液の流路が閉塞されて、処置液が歯牙根管の深部まで行き届かない、あるいは行き届いても単位時間当たり吸引量が不充分となる場合がある。このような場合、処置液の流路を確保するために、本体部及び／又は延出部を、外周部が歯牙根管に接しないよう、歯牙根管の開口側へと浮かせた状態を維持しつつ、処置液の吸引を行う必要がある。このため、延出部の先端が、歯牙根管の根尖孔から開口側へ２ｍｍ以下の位置に到達しない場合があるのみならず、操作が煩雑である。【００４３】
（４）の発明によれば、本体部及び／又は延出部の外周部に、延出部の先端に向かって延びる溝を設けた。このため、本体部及び／又は延出部の外周部が歯牙根管に接しても、歯牙根管内の処置液を、溝を介して、歯牙根管の深部へと行き届かせることができる。
従って、歯牙根管の根尖孔から開口側へ２ｍｍ以下の位置に、延出部の先端をより確実に挿入できるとともに、操作性を向上できる。【００４４】
また、溝が形成されていない部分は肉厚が維持されているため、（４）記載の本体部及び／又は延出部は、肉厚を周全体に亘って薄くした本体部及び／又は延出部よりも高い強度を保持できる。【００４５】
なお、溝は、本体部及び／又は延出部の全体に亘って設ける必要は必ずしもなく、吸引ノズルを歯牙根管に挿入した際に、歯牙根管に接する部分に設ければよい。従って、溝は、通常、吸引ノズルの先端から５ｍｍ程度の範囲に設ければよい。【００４６】
（５）  （４）記載の吸引ノズルにおいて、
前記溝は、螺旋状に形成されていることを特徴とする吸引ノズル。【００４７】
（５）の発明によれば、溝を螺旋状に形成したので、溝が形成され肉厚が薄い部分と、溝が形成されず肉厚が厚い部分との間の強度の差を利用して、この溝に沿って本体部及び／又は延出部を折り曲げるのが容易となる。
従って、対象となる歯牙根管の形状や寸法等に応じて、吸引ノズルの形状を容易に加工できる。【００４８】
（６）  （３）から（５）いずれか記載の吸引ノズルにおいて、
前記本体部及び／又は延出部は、テーパ状の外周部を有することを特徴とする吸引ノズル。【００４９】
（６）の発明によれば、本体部及び／又は延出部の外周部をテーパ状としたので、外径が先端に向かうにつれて縮径するため、本体部及び／又は延出部が歯牙根管の浅部に係止されて深部に挿入できないといった事態の発生を、より高い確率で回避できる。【００５０】
ここで「テーパ状」とは、延出部の先端に向かうにつれて縮径する形状をいう。【００５１】
（７）  処置液を歯牙根管に注入する注入手段と、前記歯牙根管から処置液を排出する排出手段と、を備え、
前記注入手段は、処置液を収容する処置液収容手段と、この処置液収容手段に供給路を介して連通し且つ処置液を前記歯牙根管に供給する供給ノズルと、を有し、
前記排出手段は、一端側から歯牙根管に挿入される吸引ノズルと、この吸引ノズルの他端に接続された排出路と、この排出路の途中に設けられ歯牙根管に注入された処置液を吸引する吸引手段と、前記排出路を介して前記吸引ノズルに連通し且つ吸引された処置液を収容する廃液収容手段と、を有する歯牙の根管内疾患の治療用装置であって、
前記吸引ノズルは、（３）から（６）いずれか記載の吸引ノズルであることを特徴とする治療用装置。【００５２】
（７）の発明によれば、（３）から（６）の発明と同様の効果が得られる。
【発明の効果】
【００５３】
本発明によれば、作製容易な筒状の本体部の先端に、同様に作製容易な筒状の延出部を延設すれば歯牙根管挿入ノズルを作製できるので、作製を容易に行うことができる。
また、本体部及びこの本体部よりも外径が小さい延出部を含んで歯牙根管挿入ノズルを構成したので、本体部は歯牙根管の浅部に係止されるために深部に挿入できないが、延出部は歯牙根管の深部へと侵入する。このため、流体を、歯牙根管の深部に注入でき、又は、歯牙根管の深部から吸引できる。
更に、本体部の内径を延出部の内径よりも大きくしたので、延出部を設けたことによる流体の単位時間当たり注入量又は吸引量の低下を抑えられるから、充分量の流体を単位時間当たりに注入又は吸引できる。
従って、充分量の流体を単位時間当たりに、歯牙根管の深部に注入でき、又は、歯牙根管の深部から吸引でき、且つ作製を容易に行うことができる。
【図面の簡単な説明】
【００５４】
【図１】本発明の第１実施形態に係る治療用装置の概略構成図である。
【図２】前記実施形態に係る治療用装置の部分切欠斜視図である。
【図３】前記実施形態に係る吸引ノズルの全体斜視図である。
【図４】図３の半断面図である。
【図５】図３の正面図である。
【図６】前記実施形態に係る吸引ノズルの使用状態を示す図である。
【図７】本発明の第２実施形態に係る吸引ノズルの全体斜視図である。
【図８】図７の半断面図である。
【図９】図７の正面図である。
【図１０】前記実施形態に係る吸引ノズルの使用状態を示す図である。
【図１１】本発明の第３実施形態に係る吸引ノズルの半断面図である。
【図１２】本発明の第４実施形態に係る吸引ノズルの半断面図である。
【図１３】本発明の第５実施形態に係る治療用装置の全体斜視図である。
【図１４】前記実施形態に係る治療用装置の分解状態を示す断面図である。
【図１５】図１４の要部を拡大した半断面図である。
【図１６】従来例に係る治療用装置の概略構成図である。
【図１７】別の従来例に係る治療用装置の全体斜視図である。
【符号の説明】
【００５５】
１、８  治療用装置
１０  注入装置（注入手段）
１１  供給ノズル
１２  供給管（供給路）
１３  供給ポンプ（流体交換手段）
１４  処置液収容槽（処置液収容手段、流体交換手段）
２０  排出装置（排出手段）
２１、２１Ａ、２１Ｂ、２１Ｃ  吸引ノズル（歯牙根管挿入ノズル）
２２  排出管（排出路、流体流路）
２３  排出ポンプ（吸引手段）
２４  廃液収容槽（廃液収容手段）
８１  シリンダ（流体交換手段）
８３  ピストン（流体交換手段）
９０  充填ノズル（歯牙根管挿入ノズル）
９１、２１１、２１１Ａ、２１１Ｂ、２１１Ｃ  本体部
９２、２１２、２１２Ａ、２１２Ｂ  延出部
２１４  本体溝（溝）
２１５  延出溝（溝）
【発明を実施するための形態】
【００５６】
以下、本発明の実施形態について、図面を参照しながら説明する。なお、第１実施形態以外の各実施形態の説明において、第１実施形態と共通するものについては、同一符号を付し、その説明を省略若しくは簡略化する。
【００５７】
＜第１実施形態＞
図１は、本発明の第１実施形態に係る治療用装置１の概略構成図である。
治療用装置１は、処置液を歯牙根管に注入する注入装置１０と、歯牙根管から処置液を排出する排出装置２０と、これら注入装置１０及び排出装置２０の一部を格納する把持部３０と、歯牙根管の長さを測定する根管長測定装置４０と、を備える。
【００５８】
注入装置１０は、処置液収容手段としての処置液収容槽１４と、この処置液収容槽１４に供給路としての供給管１２を介して連通する供給ノズル１１と、供給管１２の途中に設けられた供給ポンプ１３と、を有する。
【００５９】
処置液収容槽１４には、次亜塩素酸ナトリウム、生理食塩水、過酸化水素水、ＥＤＴＡ溶液、蒸留水、他の薬液等、治療目的に応じた処置液（流体）が収容されている。
供給ポンプ１３は、後述する制御装置６０に接続されており、この制御装置６０によってオン／オフの制御が行われる。
供給管１２は、特に限定されないが、処置液に対する耐腐食性を有する軟弾性のチューブ状である。
供給ノズル１１は、先端が歯牙６００の開口の上部に配置されている。このため、供給ポンプ１３が稼動することによって処置液収容槽１４から供給管１２を介して供給された処置液は、歯牙根管６１０に注入される。また、供給ノズル１１は、ステンレススチール、プラスチック、ニッケルチタン等で形成されている。
【００６０】
排出装置２０は、吸引ノズル２１と、この吸引ノズル２１に接続された排出路又は流体流路としての排出管２２と、この排出管２２の途中に設けられ歯牙根管６１０に注入された処置液を吸引する吸引手段としての排出ポンプ２３と、排出管２２を介して吸引ノズル２１に連通する廃液収容手段としての廃液収容槽２４と、を有する。これら排出ポンプ２３及び廃液収容槽２４は流体交換手段を構成する。
【００６１】
吸引ノズル２１は、先端が歯牙根管６１０に挿入されている。吸引ノズル２１の詳細な構造については後述する。
排出管２２は、特に限定されないが、処置液に対する耐腐食性を有する軟弾性のチューブ状である。
また、吸引ノズル２１及び排出管２２は、後述する口腔電極４３に電気的に接続されるよう、導電性部材で形成される。
排出ポンプ２３は、後述する制御装置６０に接続されており、この制御装置６０によってオン／オフの制御が行われる。
排出ポンプ２３が稼動することによって、歯牙根管６１０に注入された処置液は吸引ノズル２１内へと吸引され、吸引された処置液は、排出管２２を介して廃液収容槽２４へと搬送され、廃液収容槽２４に収容される。
【００６２】
把持部３０は、把持部本体３１と、この把持部本体３１に導入されるホース３２と、を有する。ホース３２は、後述する筐体５０の側面から導出され、供給管１２及び排出管２２を束ねる。また、把持部本体３１から、排出管２２及び供給管１２が導出され、排出管２２は連結部２１３に連結されている。
【００６３】
根管長測定装置４０は、根管長測定器４１と、この根管長測定器４１に接続された測定電極用端子４２及び口腔電極４３と、を有する。
【００６４】
測定電極用端子４２は、導電性部材で構成された排出管２２に接続され、この排出管２２を介して、吸引ノズル２１の先端に電気的に接続されている。一方、口腔電極４３は、口唇等の軟組織に取り付けられる。
根管長測定器４１は、電気的根管長測定器であり、この根管長測定器４１の表示部には、歯牙根管６１０に挿入される吸引ノズル２１の先端と、口唇等の軟組織に取り付けられる口腔電極４３との間の抵抗値が表示される。使用者は、この抵抗値に基づいて、吸引ノズル２１の先端の位置を把握できる。
【００６５】
図２は、前記実施形態に係る治療用装置１の部分切欠斜視図である。
治療用装置１は、筐体５０と、制御装置６０と、この制御装置６０に接続されたフットコントローラ７０と、を更に備える。
【００６６】
筐体５０の内部には、処置液収容槽１４及び廃液収容槽２４、供給ポンプ１３及び排出ポンプ２３、供給管１２及び排出管２２の一部、根管長測定装置４０及び測定電極用端子４２、制御装置６０が格納されている。筐体５０の側面には開閉扉５１が設けられており、この開閉扉５１を介して、処置液収容槽１４及び廃液収容槽２４が出し入れ可能となっている。また、開閉扉５１は透明又は半透明に構成され、開閉扉５１を通して処置液収容槽１４及び廃液収容槽２４の収容状態（例えば、収容量）が監視可能となっている。
【００６７】
制御装置６０は、使用者によるフットコントローラ７０の足踏み操作の有無或いは程度等に応じて、供給ポンプ１３及び排出ポンプ２３を駆動制御し、オン／オフ或いは処置液の流速を調節する。
【００６８】
図３は、前記実施形態に係る吸引ノズル２１の全体斜視図である。図４は、図３の半断面図である。図５は、図３の正面図である。
吸引ノズル２１は、一端が排出管２２に連結される略円筒状の連結部２１３と、この連結部２１３の他端から延出する略円筒状の本体部２１１と、この本体部２１１の先端から延出する略円筒状の延出部２１２と、を備える。これら連結部２１３、本体部２１１、延出部２１２の内部に設けられた孔は互いに連通している。
【００６９】
連結部２１３は、吸引ノズル２１に連結可能な構造であれば、特に限定されない。また、連結部２１３は、通常、プラスチックで形成される。
【００７０】
延出部２１２は、内径（ｒ１）が０．１５ｍｍ以上（好ましくは０．２６ｍｍ以上）、外径（ｒ２）が０．５０ｍｍ以下（好ましくは０．４２ｍｍ以下）、長さ（ｈ１）が７ｍｍ以下（好ましくは６ｍｍ以下、より好ましくは５ｍｍ以下（例えば３ｍｍ以下））である。
本体部２１１は、内径（ｒ２）が延出部２１２の内径（ｒ１）よりも大きく、外径（ｒ３）が１．１ｍｍ以下（ｈ１が５ｍｍ以下の場合、好ましくは１．０ｍｍ以下）である。
これら本体部２１１及び延出部２１２は、ステンレススチール、プラスチック、ニッケルチタン等で形成され、本体部２１１及び延出部２１２の長さの合計（ｈ）は、通常、３１ｍｍ以上である。
【００７１】
本体部２１１及び延出部２１２は、本体部２１１からの延出部２１２の脱落発生を抑制できる点で、互いの接合部位をヤグレーザ等の溶接手段によって溶接されることが好ましい。
【００７２】
図６は、吸引ノズル２１の使用状態を示す図である。なお、図６において、説明を簡明にするため、歯牙根管６１０の内部は透視している。
治療用装置１の使用方法は、以下の通りとなる。
【００７３】
まず、測定電極用端子４２を根管長測定器４１に接続し、口腔電極４３を口唇等の軟組織に取り付ける。次に、把持部本体３１を掴み、吸引ノズル２１を一端側から歯牙根管６１０に挿入する。根管長測定器４１に表示される抵抗値に基づいて、歯牙根管６１０の長さを測定する。
【００７４】
続いて、この測定値を踏まえ、リーマやファイル等の専用切削具（図示せず）を用いて根管拡大を行う。これにより、歯牙根管６１０内の汚染物質が除去されるとともに、歯牙根管６１０は容易に充填できる形状となる。なお、処置液として次亜塩素酸ナトリウム等の薬効性の強い液体を採用すれば、歯牙根管６１０内に注入された処置液が歯牙根管６１０を溶解するため、歯牙根管６１０が拡大される。このため、専用切削具を用いた根管拡大手順を経る必要は必ずしもない。
【００７５】
次に、把持部本体３１を掴み、吸引ノズル２１を一端側から歯牙根管６１０に再挿入する。すると、本体部２１１は歯牙根管６１０の浅部に係止されるために深部に挿入できないが、延出部２１２は歯牙根管６１０の深部へと侵入する。具体的には、延出部２１２の先端は、根尖孔６１１から上方に２ｍｍ以下の位置に到達する。一方、供給ノズル１１の先端は歯牙根管６１０の上方に配置される。
【００７６】
続いて、この状態でフットコントローラ７０を足踏みすると、制御装置６０によって供給ポンプ１３及び排出ポンプ２３が稼動する。すると、処置液収容槽１４から供給管１２を介して供給ノズル１１へと供給された処置液は、供給ノズル１１の先端から歯牙根管６１０に注入され、注入された処置液は根尖孔６１１から上方に２ｍｍ以下の位置まで行き届いた後、延出部２１２内へと吸引される。延出部２１２内に吸引された処置液は、本体部２１１、排出管２２を介して、廃液収容槽２４へと搬送され、廃液収容槽２４に収容される。処置液の流れる方向は、図１の矢印に示される通りである。
【００７７】
なお、本体部２１１及び／又は延出部２１２の外周部が歯牙根管６１０に接した際、処置液が歯牙根管６１０の深部まで行き届かない、あるいは行き届いても単位時間当たり吸引量が不充分となる場合には、本体部２１１及び／又は延出部２１２を、歯牙根管６１０の開口側へと浮かせた状態を維持しつつ、処置液の吸引を行えばよい。
【００７８】
更に、適宜の時点において、フットコントローラ７０の足踏みを解除すると、制御装置６０によって供給ポンプ１３及び排出ポンプ２３が停止する。すると、処置液の注入及び吸引が終了する。そして、把持部本体３１を掴み、吸引ノズル２１を歯牙根管６１０から抜き出すことで、歯牙根管内疾患の治療の一部が完了する。
【００７９】
本実施形態によれば、以下のような作用効果が得られる。
（Ａ）作製容易な筒状の本体部２１１の先端に、同様に作製容易な筒状の延出部２１２を延設すれば吸引ノズル２１を作製できるので、作製を容易に行うことができる。
また、延出部２１２の外径ｒ２を０．５０ｍｍ以下としたので、通常、延出部２１２は根尖孔６１１から開口側へ２ｍｍ以下の位置まで挿入できる。このため、歯牙根管６１０に注入された処置液は、根尖孔６１１から開口側へ２ｍｍ以下の位置まで行き届いた後、延出部２１２内へと吸引されるから、歯牙６００の根管内疾患の再発を抑制できる。
更に、延出部２１２の内径ｒ１を０．１５ｍｍ以上とし且つ長さｈ１を７ｍｍ以下とし、本体部２１１の内径ｒ２を延出部２１２の内径ｒ１よりも大きくしたので、延出部２１２を設けたことによる処置液の単位時間当たり吸引量の低下を抑えられるから、充分量の処置液を単位時間当たりに吸引できる。
しかも、本体部２１１の外径ｒ３を１．１ｍｍ以下としたので、通常、本体部２１１は根尖孔６１１から開口側へ９ｍｍ以下の位置まで挿入できる。このため、延出部２１２の長さｈ１が７ｍｍ以下であっても、本体部２１１の外径ｒ３を調節することによって、根尖孔６１１から開口側へ２ｍｍ以下の位置に延出部２１２を挿入できる。
従って、歯牙６００の根管内疾患の再発を抑制でき、充分量の処置液を単位時間当たりに吸引でき、且つ容易に作製できる。
【００８０】
＜第２実施形態＞
図７は、本発明の第２実施形態に係る吸引ノズル２１Ａの全体斜視図である。図８は、図７の半断面図である。図９は、図７の正面図である。
本実施形態では、本体部２１１Ａ及び延出部２１２Ａの構造が第１実施形態と異なる。
即ち、本体部２１１Ａ及び延出部２１２Ａは、それぞれ、外周部に設けられ延出部２１２Ａの先端に向かって延びる本体溝２１４及び延出溝２１５を備える。これら本体溝２１４及び延出溝２１５の各々は、螺旋状に形成されている。
【００８１】
本体溝２１４及び延出溝２１５の深さは、処置液の流路を確保する点で０．０１ｍｍ以上であることが好ましく、本体部２１１Ａ及び延出部２１２Ａの強度を保持する点で０．０４ｍｍ以下であることが好ましい。より好ましくは、０．０２ｍｍ以上０．０３ｍｍ以下である。
【００８２】
なお、本体溝２１４及び延出溝２１５の形成方法としては、特に限定されないが、たとえば、ワイヤーカット放電加工、レーザー加工等を応用すればよい。
【００８３】
図１０は、吸引ノズル２１Ａの使用状態を示す図である。なお、図１０において、説明を簡明にするため、歯牙根管６１０の内部は透視し、本体溝２１４及び延出溝２１５の幅は実際より大きく描かれている。
本実施形態に係る治療用装置の使用方法は、以下の点で、第１実施形態と異なる。
【００８４】
即ち、根管拡大を行った後、吸引ノズル２１Ａを一端側から歯牙根管６１０に挿入すると、本体部２１１Ａ及び延出部２１２Ａが歯牙根管６１０に接し、本体部２１１Ａ及び延出部２１２Ａの端部と歯牙根管６１０との隙間は閉塞される。
【００８５】
この状態でフットコントローラ７０を足踏みすると、制御装置６０によって供給ポンプ１３及び排出ポンプ２３が稼動する。すると、処置液収容槽１４から供給管１２を介して供給ノズル１１へと供給された処置液は、供給ノズル１１の先端から歯牙根管６１０に注入され、注入された処置液は、本体溝２１４及び延出溝２１５を通って、根尖孔６１１から上方に２ｍｍ以下の位置まで行き届いた後、延出部２１２内へと吸引される。延出部２１２内に吸引された処置液は、本体部２１１、排出管２２を介して、廃液収容槽２４へと搬送され、廃液収容槽２４に収容される。処置液の流れる方向は、図１０の矢印に示される通りである。
【００８６】
本実施形態によれば、前述した第１実施形態による作用効果に加えて、以下のような作用効果が得られる。
（Ｃ）本体部２１１Ａ及び延出部２１２Ａの外周部に、延出部２１２Ａの先端に向かって延びる本体溝２１４及び延出溝２１５を設けた。このため、本体部２１１Ａ及び延出部２１２Ａの外周部が歯牙根管６１０に接しても、歯牙根管６１０内の処置液を、本体溝２１４及び延出溝２１５を通して、歯牙根管６１０の深部へと行き届かせることができる。従って、根尖孔６１１から開口側へ２ｍｍ以下の位置に、延出部２１２Ａの先端をより確実に挿入できるとともに、操作性を向上できる。
【００８７】
（Ｄ）本体溝２１４及び延出溝２１５が形成されていない部分は肉厚が維持されているため、高い強度を保持できる。
【００８８】
（Ｅ）本体溝２１４及び延出溝２１５を螺旋状に形成したので、これら本体溝２１４及び延出溝２１５に沿って本体部２１１Ａ及び延出部２１２Ａを折り曲げるのが容易となる。従って、対象となる歯牙根管６１０の形状や寸法等に応じて、吸引ノズル２１Ａの形状を容易に加工できる。
【００８９】
＜第３実施形態＞
図１１は、本発明の第３実施形態に係る吸引ノズル２１Ｂの半断面図である。
本実施形態では、本体部２１１Ｂ及び延出部２１２Ｂの構造が第１実施形態と異なる。
即ち、本体部２１１Ｂ及び延出部２１２Ｂの先端部２１６、２１７の各々は、テーパ状の外周部を有する。
【００９０】
本実施形態によれば、前述した第１実施形態による作用効果に加えて、以下のような作用効果が得られる。
（Ｆ）本体部２１１Ｂ及び延出部２１２Ｂの先端部２１６、２１７を、テーパ状の外周部を有する構成としたので、本体部２１１Ｂ及び延出部２１２Ｂが歯牙根管６１０の浅部に係止されて深部に挿入できないといった事態の発生を、より高い確率で回避できる。
【００９１】
＜第４実施形態＞
図１２は、本発明の第４実施形態に係る吸引ノズル２１Ｃの半断面図である。
本実施形態では、本体部２１１Ｃの構造が第１実施形態と異なる。
即ち、本体部２１１Ｃは、連結部２１３の端部から延出する略円筒状の大本体部２１８と、この大本体部２１８の先端から延出し且つ大本体部２１８よりも外径が小さい略円筒状の小本体部２１９と、を備える。この小本体部２１９の先端は、延出部２１２の端部に接続される。
小本体部２１９は、内径が延出部２１２の内径よりも大きく、外径が０．６５ｍｍ以下、長さ（ｈ２）が８．０ｍｍ以下である。
大本体部２１８は、内径が小本体部２１９の内径よりも大きく、外径が０．９ｍｍ以下（例えば０．８ｍｍ以下）である。
【００９２】
本実施形態によれば、前述した第１実施形態による作用効果に加えて、以下のような作用効果が得られる。
（Ｇ）作製容易な筒状の大本体部２１８の先端に、同様に作製容易な筒状の小本体部２１９を延設すれば本体部２１１Ｃを作製できるので、吸引ノズル２１Ｃを容易に作製できる。
また、本体部２１１Ｃを大本体部２１８及び小本体部２１９で構成し、この小本体部２１９の内径を延出部２１２の内径よりも大きくし、更に大本体部２１８の内径を小本体部２１９の内径よりも大きくしたので、処置液の単位時間当たり吸引量を向上できる。
更に、大本体部２１８の外径を０．９ｍｍ以下としたので、通常、大本体部２１８は根尖孔６１１から開口側へ１７ｍｍ以下の位置まで挿入できる（通常、根尖孔６１１から開口側へ１７ｍｍにおける歯牙根管６１０の径は１．２ｍｍである）。このため、延出部２１２の長さｈ１が７ｍｍ以下であっても、小本体部２１９の長さｈ２や外径を調節することによって、根尖孔６１１から開口側へ２ｍｍ以下の位置に延出部２１２を挿入できる。
従って、歯牙６００の根管内疾患の再発を抑制でき、充分量の処置液を単位時間当たりに吸引でき、且つ容易に作製できる。
【００９３】
＜第５実施形態＞
図１３は、本発明の第５実施形態に係る治療用装置８の全体斜視図である。図１４は、治療用装置８の分解状態を示す断面図である。
治療用装置８は、図示しない充填剤の内部供給源を有する筒状のシリンダ８１と、この８１の一端に配置されたハンドル８２と、シリンダ８１の他端に突設された筒状の充填ノズル９０と、を備える。
【００９４】
シリンダ８１の内部には、ピストン８３が摺動可能に係合され、このピストン８３がシリンダ８１の他端側へ摺動することにより、充填剤が押し出される。ピストン８３には、８１の内部を摺動可能なロッド８４が延設され、このロッド８４には、側面に設けられたねじ部を介して、係止ナット８５及び操作パッド８６が順次螺合されている。
【００９５】
シリンダ８１の先端側には、筒状の加熱機構８７が設けられている。この加熱機構８７は、熱絶縁性のスリーブ８１ａの内部には、加熱導線８８が螺旋状に設置されている。この加熱導線８８には図示しない電源に接続され、この電源から電力が供給されると、加熱導線８８から熱が放出される。
【００９６】
シリンダ８１の内部は流体流路を構成し、シリンダ８１及びピストン８３は流体交換手段を構成する。
【００９７】
図１５は、図１４の要部を拡大した半断面図である。
シリンダ８１の他端にはハブ８９が設けられている。
充填ノズル９０は、一端がハブ８９を介してシリンダ８１に連結される略円筒状の連結部９３と、この連結部９３の他端から延出する略円筒状の本体部９１と、この本体部９１の先端から延出する略円筒状の延出部９２と、を備える。これら連結部９３、本体部９１、延出部９２の内部に設けられた孔は互いに連通している。また、連結部９３、本体部９１、延出部９２は、高熱伝導率を有する素材で形成されることが好ましく、例えば、ステンレススチールやニッケルチタンで形成されてよい。
【００９８】
延出部９２は、本体部９１よりも外径及び内径の各々が小さい。具体的には、延出部９２は、内径が０．１５ｍｍ以上（好ましくは０．３０ｍｍ以上）、外径が０．５０ｍｍ以下（好ましくは０．４０ｍｍ以下）、長さが７ｍｍ以下（好ましくは６ｍｍ以下、より好ましくは５ｍｍ以下（例えば、３ｍｍ以下））であり、本体部９１は、外径が１．１ｍｍ以下（延出部９２の長さが５ｍｍ以下である場合、好ましくは１．０ｍｍ以下）である。また、本体部２１１及び延出部２１２の長さの合計（ｈ）は、通常、３１ｍｍ以上である。
連結部９３は、シリンダ８１に連結可能な構造であれば、特に限定されない。
【００９９】
治療用装置８の使用方法は、以下の通りとなる。
【０１００】
まず、ハンドル８２を掴んで操作パッド８６を後方へ引くことにより、ピストン８３をシリンダ８１から引き抜く。続いて、流体としての充填材（例えば、ガッタパーチャ、レジン）をシリンダ８１の内部に補充した後、ピストン８３をシリンダ８１に装着する。充填材の装着後、電源から加熱導線８８に電力を供給すると、加熱導線８８から熱が放出され、加熱（例えば、約１１０℃）された充填材が流動化する。
【０１０１】
次に、充填ノズル９０を一端側から歯牙根管に挿入する。すると、本体部９１は歯牙根管の浅部に係止されるために深部に挿入できないが、延出部９２は歯牙根管の深部へと侵入する。具体的には、延出部９２の先端は、根尖孔から上方に２ｍｍ以下の位置に到達する。
【０１０２】
この状態で、操作パッド８６０を前方へと押し進めると、流動化した充填材が充填ノズル９００に供給され、本体部９１、延出部９２を通じて、充填ノズル９００の先端から歯牙根管に注入される。
【０１０３】
その後、適宜の時点において、充填ノズル９００を歯牙根管から抜き出すことで、歯牙根管内の充填が完了する。
【０１０４】
本実施形態によれば、以下のような作用効果が得られる。
（Ｈ）作製容易な円筒状の本体部９１の先端に、同様に作製容易な円筒状の延出部９２を延設すれば充填ノズル９０を作製できるので、作製を容易に行うことができる。
また、本体部９１及びこの本体部９１よりも外径が小さい延出部９２を含んで充填ノズル９０を構成したので、本体部９１は歯牙根管の浅部に係止されるために深部に挿入できないが、延出部９２は歯牙根管の深部へと侵入する。このため、充填材を歯牙根管の深部まで注入し、歯牙根管を深部まで充填できる。
更に、本体部９１の内径を延出部９２の内径よりも大きくしたので、延出部９２を設けたことによる充填材の単位時間当たり注入量の低下を抑えられるから、充分量の充填材を単位時間当たりに注入できる。これにより、充填材が充填ノズル９０の内部で冷却されて固化し、充填ノズル９０内に詰まるといった事態の発生を抑制できる。
従って、歯牙根管の深部まで挿入でき且つ充分量の流体を単位時間当たりに流通でき、容易に作製できる。
【実施例】
【０１０５】
＜実施例１〜３、比較例１〜２＞
実施例１〜３、比較例１〜２において、表１に示される各寸法を備えるステンレススチール製の吸引ノズルを作製した。【０１０６】
【表１】
2007119844.tif 000003
【０１０７】
［単位時間当たり吸引量の評価］
実施例１〜３、及び比較例１〜２で作製した吸引ノズルを、第１実施形態において説明した治療用装置において使用した。各治療用装置の吸引ノズルの先端をビーカーに湛えられた水中に挿入した際の単位時間当たり吸引量を、吸引圧２０ｋＰａの条件下で測定した。この結果を表２に示す。【０１０８】
【表２】
2007119844.tif 000004
【０１０９】
表１及び表２に示されるように、実施例１〜３の吸引ノズルは、比較例１の吸引ノズルと比較して、先端の外径は略等しいにもかかわらず、単位時間当たりの吸引量が大きかった。
一方、比較例２の吸引ノズルは、実施例１〜３の吸引ノズルに比べて、単位時間当たりの吸引量が大きかったものの、外径が大きすぎるために、歯牙根管の深部（例えば、穿孔から開口方向へ２ｍｍの部位）まで挿入できない。【０１１０】
＜実施例４〜８＞
実施例４〜８において、延出部の長さを変更した点を除き、共通する寸法でステンレススチール製の吸引ノズルを作製した。つまり、本体部の寸法を内径０．４３９ｍｍ、外径０．６４９ｍｍとし、延出部の寸法を内径０．２６１ｍｍ、外径０．４２ｍｍとし、更に吸引ノズルの全長を３１ｍｍとした。【０１１１】
【表３】
2007119844.tif 000005
【０１１２】
［単位時間当たり吸引量の評価］
実施例４〜８で作製した吸引ノズルを、第１実施形態において説明した治療用装置において使用した。各治療用装置の吸引ノズルの先端をビーカーに湛えられた水中に挿入した際の単位時間当たり吸引量を、吸引圧２０ｋＰａの条件下で測定した。この結果を表４に示す。【０１１３】
【表４】
2007119844.tif 000006
【０１１４】
表３及び表４に示されるように、実施例４〜８の吸引ノズルは、いずれも、比較例１に比べて、多量の水を単位時間当たりに吸引した。これにより、上記寸法の吸引ノズルにおける延出部は、長さが７ｍｍ以下であれば、優れた単位時間当たり吸引量を示すことが確認され、特に長さが６ｍｍ以下であれば、更に優れた単位時間当たり吸引量を示すことも確認された。【０１１５】
＜変形例＞
本発明は前記実施形態に限定されるものではなく、本発明の目的を達成できる範囲での変形、改良等は本発明に含まれるものである。【０１１６】
吸引ノズル２１、充填ノズル９０を構成する各部材（例えば、本体部２１１、延出部２１２）は、前記各実施形態では一体的に形成されているが、これに限らず、別体に形成されていてもよい。例えば、延出部２１２の一端が本体部２１１の内部に挿入されて連結されている構成でもよい。【０１１７】
また、吸引ノズル２１を構成する本体部２１１及び延出部２１２、充填ノズルを構成する本体部９１及び延出部９２は、それぞれ、前記各実施形態では略円筒状に形成されているが、これに限らず、例えば楕円形状に形成されていてもよい。【０１１８】
吸引ノズル２１は、図２のように直線形状のまま使用してもよいが、これに限らず、適宜の部位で屈曲させて使用してもよい。これにより、種々の位置、形状、角度の歯牙の根管に対して有利に挿入できる。【０１１９】
本体部２１１Ｂ及び延出部２１２Ｂは、その先端部２１６、２１７のみがテーパ状の形状であるが、これに限らず、より長い範囲に亘ってテーパ状としてもよい。即ち、テーパ状とする範囲は、その吸引ノズルが使用される条件に応じて適宜設定されてよい。
【図１】
2007119844.tif 000007
【図２】
2007119844.tif 000008
【図３】
2007119844.tif 000009
【図４】
2007119844.tif 000010
【図５】
2007119844.tif 000011
【図６】
2007119844.tif 000012
【図７】
2007119844.tif 000013
【図８】
2007119844.tif 000014
【図９】
2007119844.tif 000015
【図１０】
2007119844.tif 000016
【図１１】
2007119844.tif 000017
【図１２】
2007119844.tif 000018
【図１３】
2007119844.tif 000019
【図１４】
2007119844.tif 000020
【図１５】
2007119844.tif 000021
【図１６】
2007119844.tif 000022
【図１７】
2007119844.tif 000023
【手続補正書】
【提出日】平成20年2月14日(2008.2.14)
【手続補正１】
【補正対象書類名】特許請求の範囲
【補正対象項目名】請求項１
【補正方法】変更
【補正の内容】
【請求項１】
一端側から歯牙根管に挿入され、流体を歯牙根管に注入又は歯牙根管から吸引するために用いられる歯牙根管挿入ノズルであって、
少なくとも先端が歯牙根管に挿入される筒状の本体部と、この本体部の先端から延出し前記本体部よりも外径及び内径の各々が小さい筒状の延出部と、を備える歯牙根管挿入ノズル。
【手続補正２】
【補正対象書類名】特許請求の範囲
【補正対象項目名】請求項３
【補正方法】変更
【補正の内容】
【請求項３】
一端側から歯牙根管に挿入され、前記歯牙根管に注入された処置液を吸引し他端側に接続される排出路へと排出するために用いられる吸引ノズルであって、
少なくとも先端が歯牙根管に挿入される筒状の本体部と、この本体部の先端から延出し前記本体部よりも外径が小さい筒状の延出部と、を備え、
前記延出部は、内径が０．１５ｍｍ以上、外径が０．５０ｍｍ以下、長さが７ｍｍ以下であり、
前記本体部は、内径が前記延出部の内径よりも大きく、外径が１．１ｍｍ以下であることを特徴とする吸引ノズル。
【国際調査報告】
2007119844.tif 000024
2007119844.tif 000025
2007119844.tif 000026
2007119844.tif 000027